(57)【特許請求の範囲】
【請求項１】
草切刃と柄によって構成される草刈り鎌において、前記草切刃の先端部と前記柄への取付部付近に回収袋の芯金固定部をそれぞれ設け、芯金は前記芯金固定部の間の前記草切刃裏面側に近接平行して底面部を配置し、前記芯金固定部の間の前記草切刃表面側の上方に半円部又は矩形部を配置し、前記芯金の外周に前記回収袋の入口側を巻き付けて縫い合わせ、前記草切刃の後方側に一定深さの前記回収袋を取付けたことを特徴とする袋付草刈り鎌。          
【請求項２】
前記請求項１に記載の袋付草刈り鎌において、前記芯金固定部は、前記草切刃の先端部と柄への取付部付近にそれぞれ設けた貫通穴と前記芯金に設けたフック部とクリップで構成され、前記フック部を前記草切刃の裏面側から前記貫通穴に挿入し、前記草刈刃の表面側に突出した前記フック部の輪内に前記クリップを挿入固定し、前記クリップの着脱操作によって前記回収袋の着脱を可能にしたことを特徴とする袋付草刈り鎌。
【請求項３】
前記請求項１又は前記請求項２のいずれかに記載の袋付草刈り鎌において、前記芯金は金属線材の曲げ加工で構成し、前記芯金固定部の間の前記草刈刃表面側の上方に形成した前記半円部又は矩形部と、前記フック部と、前記底面部と、を一体成形したことを特徴とする袋付草刈り鎌。  
【発明の詳細な説明】
【技術分野】
【０００１】
この発明は、畑や庭の草取りを行う時、従来の草刈り鎌は草の切断のみで、その切断された草は手で回収する必要が有り、その回収は面倒で、草を刈るより時間が掛かる欠点が有った。本案はその問題を解決する為に工夫したもので、草切刃の後部に草を回収する回収袋を設けて、草を刈ると同時に、草を回収袋に集めることを可能にした袋付草刈り鎌に関するものある。  
【背景技術】
【０００２】
下記文献に示す従来の「草刈り具」は、小さい草の根を掘り起すと同時に草を回収箱に集める発明であるが、大きく育った草の根は強固で、草の茎や葉を刈り取るための用具としては適さない。通常の草取り鎌は、柄と草切刃で構成され、草の上部を掴んで草切刃によって切り取る操作を行うが、切り取られた草は、後で手又は熊手によって掻き集め、手で回収箱に収納していたが、草を切り取るより回収に時間が掛かり面倒でした。本案は前記の面倒な草集めを、草切と同時に草切刃に装着した回収袋に回収し、切り取った草の回収作業を省略させるものである。
【先行技術文献】
【特許文献】
【０００３】
【特許文献１】特許第５５０４４０４号
【発明の概要】
【０００４】
本発明は上記事情に鑑みてなされたもので、従来の草刈鎌の刃の後部に回収袋を装着し、草を切り取ると同時に草を回収し、草刈後の草回収作業を省略させたものである。
【発明が解決しようとする課題】
【０００５】
（１）草の切り取りと同時にその草を回収できる袋の装着構造の考案。
（２）回収袋が、草の切刃機能に影響しない構造の考案。
（３）回収袋を容易に着脱可能な構造とし、回収袋を外せば、通常の草取り鎌として使用可能する構造の考案。
【課題を解決するための手段】
【０００６】
（１）草切刃の後部裏面と草切刃の上部に略半円形の芯金を装着し、回収袋を前記芯金外周に縫い合わせて装着する構造とした。
（２）前記芯金は草切刃の下面後部と、草切刃の上面から離れた空間に略半円形に配置し、切断された草は草切刃の上面を通過して回収袋に移動するので、草の切断機能に影響しない。
（３）前記芯金は、草切刃の先端と取付け端に貫通穴を設けて芯金固定部とし、前記貫通穴に挿入する芯金のフック部作り、草切刃の裏面側から前記貫通穴に前記フック部に差し込み、草切刃の表面側に突出したフック部にクリップを差込んで固定する構造とし、前記クリップを抜き取れば、前記心金が外れ、回収袋を取り除ける構造とした。
【発明の効果】
【０００７】
（１）草の茎や葉を切断し、切り取られた草の葉を草切刃の後部に取付けた回収袋に流し込み、草刈作業後の草の回収作業を不要にした。
（２）回収袋は草切刃後部の下面と草切刃後部上空の間に設けたので、刈り取られた草は草切刃の上面を通過して回収袋に直接流入し、草切刃の機能を害しない。
（３）回収袋の芯金を一部フック状にして草切刃の先端と取付け端に設けた貫通穴に挿入し、草切刃の上面でクリップを差し込んで固定する構造のため、前記クリップを外せば、回収袋は容易に取り外せ、通常の草取り鎌としても使用可能である。
【図面の簡単な説明】
【０００８】
【図１】本案第一実施例の全体斜視図
【図２】本案第二実施例の全体斜視図
【図３】本案第一実施例の分解斜視図
【図４】本案第一実施例の回収袋固定構造説明図
【図５】本案第一実施例の草刈り操作説明図
【発明を実施するための形態】
【０００９】
以下に、図１から図５を参照して本案の構造と使用操作を説明する。
図１は、本案第一実施例の全体斜視図で、図２は本案の第二実施例を示したもので、１草刈り鎌は２草刈刃と３柄によって構成され、一般的には両方とも「草刈り鎌」と言われ、第一実施例は、比較的に葉や茎の柔らかい場合に用いられる平面刃の鎌で、第二実施例は比較的に葉や茎の硬い場合に用いられる鋸刃の鎌で、草切刃の特性から、柄と草切刃の取付け角度が異なるのみで、基本的には同じ仲間の草刈り鎌ですから、本案の説明は第一実施例を中心に行います。
図１の１は草刈り鎌の2草切刃は２a平面刃で、３柄は２a平面刃に対し略直角に取付けられ、2草切刃の先端部と取付け部付近に８芯金固定部がそれぞれ設けられ、その間に、2草切刃の裏面側には2草切刃に近接平行して芯金の4c底面部が設けられ、2草切刃の上面側には2草切刃の上方に伸びる芯金の4b半円部ガ設けられ、詳細を後述する８芯金固定部に固定され、そして前記各芯金には５回収袋の入口側が縫いつけられている。
図２は第二実施例で、前記した様に草切刃に２b鋸刃を用いたもので、3柄の取り付け角度が相違するのみで、本案の5回収袋を装着する構造は同一なので説明を省略いたします。次に、芯金の材質は耐食性に強く、剛性の強いステンレス線材又は高鋼線材に耐食性の良いクロム鍍金等の金属鍍金を施しても良い。また、回収袋の材質は耐摩耗性が良く、吸水性の少ないナイロン繊維等の合成繊維の布材を用いるか、又はメッシュ5mm以下の網部材を用いても良い。
尚、回収袋の長さは草切刃のながさの1から3倍程度が好ましい。
次に、図3と図4を用いて、芯金の固定方法を説明する。図3は第一実施例の分解斜視図で、図4は回収袋の芯金を固定する方法を説明するための詳細図で、
7貫通穴は2草切刃の先端部と取付け部付近で後方側に設けられ、4芯金には前記7貫通穴のピッチに合わせてU字形のフックを設ける。前記貫通穴のサイズは芯金の4aフック部を通過できる大きさで小判穴が好ましいが、丸穴でも良い。
4aフック部は芯金をU字形に曲げたもので、U字の内側寸法は6クリップ線材の通過できる大きさで、高さは2草切刃の後部厚さ+6クリップ線材太さ以上とする。5回収袋の入口側は前記芯金の外周に巻きつけて縫い合わせる構造で、前記4aフック部は切り欠いて飛ばす形にする。4芯金の取付けは、2草切刃の裏側から4aフック部を7貫通穴に挿入し、2草切刃の上側に突出した前記4aフック部のU字溝の内側に6クリップを挿入し固定する。尚、6クリップはステンレス線材を図面の様に曲げたもので、差し込むと弾性たわみで前記4芯金を保持して強く引き抜かなければ外れることは無い。以上の構造を組み合わせたものが図1又は図2に相当する。
【００１０】
以上の構造説明から、使用操作方法の説明に移る。図5は第一実施例の草刈操作説明図で、草の根元に2草切刃を当て3柄を→の方向に早く引けば草は切れて2草切刃の表面を通過して5回収袋に滑り込むことになる。しかし、草が撓みやすい種類の場合は3柄を持った反対側の手で、草の上部を支えてやれば容易に刈り取ることができる。そして、5回収袋に適度の草が溜まったら、5回収袋の底部を摘んで、上側にして振れば草は排出される。
尚、草の長さが前記4b半円部を優に超す場合は、前記6クリップを引き抜いて4芯金を2草切刃の裏側方向に引き抜けば簡単に5回収袋は外れ、通常の草刈り鎌として使用可能になる。この説明でお分かりに成られる様に、前記4a半円部の高さを決定することが重要で、2草切刃の1から2倍程度が好ましい、尚、形状は必ずしも半円形に拘らず、矩形にしても良く、形状の変化は本案の請求権利範囲内と解釈する。
【産業上の利用可能性】
【００１１】
庭や畑の雑草は、雨の多い時期には草の成長も早く、草取り鎌で刈り取っても、その草の回収は更に大変で、刈り取った草を手や熊手で集め、それを回収箱に移さざるを得ず、その時間は草刈り時間より多く必要とし、草刈が嫌いになる原因です。そんな原因の対策には、本案の「袋付草刈り鎌」を使用し、草刈と同時に草を回収して頂くことが望まれます。
更に、本案の「袋付草刈り鎌」の回収袋は簡単な操作で着脱が可能で、丈の長い葦等を刈り取る時は、回収袋を取り外せば、通常の草刈り鎌として使用可能です。草刈り作業を容易に出来、一般家庭の方や、庭手入れの専業者にも重宝され、大量生産すれば、コスト適にも負担少なく生産でき、一般家庭でも、農業  
専業者、庭手入れ専業者にも喜んで頂ける発明と自負しています。                                    
【符号の説明】
【００１２】
１袋付草刈り鎌全体、２草切刃、２a平面刃、２b鋸刃、３柄、４芯金、４aフック部、4b半円部、4c底面部、4d連結パイプ、５回収袋、６クリップ、７貫通穴、８芯金固定部、←柄の引き方向
【要約】      （修正有）【課題】、畑や庭の草刈りを行う時、従来の草刈り鎌は草の切断のみで、その切断された草は手で回収する必要が有り、その回収の面倒さを解消する草刈り鎌を提供する。【解決手段】草刈り鎌の後部に草を回収する回収袋５を草切刃２の後部に取付け、草を刈ると同時に草を回収袋５に集めることを可能にした袋付草刈り鎌１で、草刈り作業を容易にした。【選択図】図１【図１】
0005643966.tif 000002
【図２】
0005643966.tif 000003
【図３】
0005643966.tif 000004
【図４】
0005643966.tif 000005
【図５】
0005643966.tif 000006